(57)【要約】【課題】気温が低くても動脈血酸素飽和度SpO2を計測できるようにする。【解決手段】人差し指を用いて動脈血酸素飽和度を計測する。そのときに使用する発光素子３６ａの周囲に保温素子４６を設け、発光素子の周囲温度がほぼ所定の範囲内に入るように調整される。これは、発光素子の発光帯域特性が温度によって変化するからである。周囲温度が低くなると波長の帯域特性が狭くなり、２波長のうちの高い方の波長λａ付近の光を出射しなくなってしまうからである。そのときは、動脈血酸素飽和度を計測できない。そこで、計測する前の段階からプリヒートしておき、計測中は発光素子の周囲温度が所定の温度範囲となるように制御する。これによって外気温が低温域でも動脈血酸素飽和度を計測できる。【選択図】        図６
2006288835.tif 000002
【特許請求の範囲】
【請求項１】
被計測部位に波長の異なる光を照射する発光素子と、
上記被計測部位を流れる動脈血の酸素飽和度に関連した波長の異なる光を受波してこれを生体信号に変換する一対の受光素子と、
上記発光素子を保温する保温手段と、
上記発光素子の周囲温度を測定する温度測定素子と、
上記温度測定素子の検知信号に基づいて上記周囲温度を所定の温度範囲内に抑える制御部と
を有することを特徴とする動脈血酸素飽和度用簡易計測器。
【請求項２】
上記保温手段は、その照射面が断熱ケースより突出した状態で上記断熱ケース内に収容される
ことを特徴とする請求項１記載の動脈血酸素飽和度用簡易計測器。
【請求項３】
上記断熱ケース内には熱伝導材が充填されると共に、
保温素子と上記温度測定素子が収容された
ことを特徴とする請求項２記載の動脈血酸素飽和度用簡易計測器。
【請求項４】
上記保温素子は、フィルム状の面ヒータが使用される
ことを特徴とする請求項３記載の動脈血酸素飽和度用簡易計測器。
【請求項５】
上記温度測定素子は、サーミスター、熱電対、温度抵抗素子の何れかが使用される
ことを特徴とする請求項１記載の動脈血酸素飽和度用簡易計測器。
【請求項６】
上記動脈血酸素飽和度の計測結果の表示部がさらに設けられ、
該表示部は、上記計測結果が正常値、異常値に応じた段階表示となされた
ことを特徴とする請求項１記載の動脈血酸素飽和度用簡易計測器。
【請求項７】
上記動脈血酸素飽和度の計測結果の音声メッセージ手段がさらに設けられ、
該音声メッセージ手段によって、正常値、異常値に応じた計測結果が出力される
ことを特徴とする請求項１記載の動脈血酸素飽和度用簡易計測器。
【請求項８】
上記計測結果の表示部と、この計測結果を音声出力する音声メッセージ手段がそれぞれ設けられた
ことを特徴とする請求項６記載の動脈血酸素飽和度用簡易計測器。
【請求項９】
上記一対の受光素子によって受波する光は、上記被測定部位を透過した透過光である
ことを特徴とする請求項１記載の動脈血酸素飽和度用簡易計測器。
【発明の詳細な説明】
【技術分野】
【０００１】
この発明は携行型の動脈血酸素飽和度用簡易計測器に関する。詳しくは、動脈血酸素飽和度（SpO2）の情報を非観血的、非侵襲的に計測するに当たり、特に寒冷地や高地などの低温地域でも、動脈血酸素飽和度を正常に簡易計測できるようにしたものである。
【背景技術】
【０００２】
ハイキングや登山などの野外活動、特に登山などは、歩行による疲労に加え、高度に順応するまでの刻々と変わる環境変化、例えば気温の変化、気圧の変動、大気中の酸素濃度変化に伴って、日常生活では体験しない負荷が生体に加わる。
生体に加わるこれらの負荷は疲労となるが、この疲労の状態や程度は自らが判断する他には術がない。
【０００３】
登山などの過酷な環境条件下では、経験が大きく左右され、経験の少ない登山の初心者などでは、高地での自らの体調変化を感じ取るまでに時間がかかったり、体調変化に気づかないで過ごすことが多く、このような場合には高山病を発症したり、重篤な過労状態に陥ることもある。
【０００４】
このような問題を解決する１つの目安として血中の動脈血酸素飽和度を計測することが考えられる。この動脈血酸素飽和度を簡易に計測し、体調変化を来すおそれのある数値となっているときは、その旨を表示したり警告できれば便利であり、不慮の事態を回避できることにも繋がる。そのためこのような携行型の動脈血酸素飽和度用簡易計測器の開発が望まれている。
【０００５】
生体のモニタリング対象として、血液中特に動脈血の酸素含有量を計測する装置としてパルスオキシメータが知られている。
【０００６】
パルスオキシメータは、波長の異なる光を生体の一部に照射し、照射した光の、生体からの反射光又は透過光の強度を光電脈波信号（生体信号である反射信号）に変換し、この反射信号から動脈血の酸素飽和度を測定する装置である。
【０００７】
パルスオキシメータは、酸素が結合したヘモグロビン（酸化ヘモグロビン）による波長依存性を利用し、酸化ヘモグロビンに吸収され易い波長と、吸収されにくい波長の２波長を使用し、被計測部位に照射した光の透過波（透過光）や反射波（反射光）の強さから動脈血酸素飽和度を算出するようにしたものである。動脈血酸素飽和度は９６％以上が正常値と判断され、それ以下は低酸素症と判断される場合がある。登山などでは、高度が高くなるにつれ低酸素状態となり、寒冷地のように気温が下がる程、動脈血酸素飽和度が低下する。
【０００８】
パルスオキシメータでは末梢血管を流れる動脈血を計測するものであるが、末梢血管は気温が下がるほど、血管径が細くなり、それに伴って測定精度が低下する傾向にある。そのための解決手段として特許文献１などが知られている。特許文献１では、被測定部位（例えば指）を加温するような手段が採用されている。
【０００９】
【特許文献１】特開２００４−３４４３６８号公報
【発明の開示】
【発明が解決しようとする課題】
【００１０】
ところで、この特許文献１に開示されたパルスオキシメータには、動脈血検知手段（プローブ）内に被検査指を加温するためのヒータが設けられ、被検査指の温度や、外気温を測定してヒータをコントロールすることで、被計測部位を暖めるようにしている。
【００１１】
したがってこの特許文献１に開示された技術は、あくまでも被検査指など被検査生体が適温となるように制御するためのものである。しかし、実際に動脈血酸素飽和度を測定する場合には、被検査生体を推奨温度の範囲内となるようにコントロールする場合よりも、動脈血検知手段内に配された測定光の受発光素子、特に発光素子におけるその稼働温度（周囲温度）の安定度の方がより重要である。
【００１２】
それは、発光素子から出射する光の波長の帯域は、発光素子の周囲温度（素子温度）が常温域と、低温域とで異なるからである。
【００１３】
２波長血中吸光度法によって動脈血酸素飽和度を測定する場合には、酸化ヘモグロビンに吸収されやすい波長λａと、酸化ヘモグロビンには吸収されにくい波長λｂの２波長が使用される。波長λａとしては８００〜８３０ｎｍ程度であり、波長λｂは６００〜６７０ｎｍ程度の波長が知られている。そのため、１つの発光素子でこれら２つの波長が同時に励起される素子が使用される。
【００１４】
このような発光素子は、温度依存性があり、図８曲線Ｌａは常温域（２０〜３０℃）で励起したときの波長λの帯域特性を示す。この帯域特性に対して低温域特に１０℃以下から氷点下になると、そのときの帯域特性は図８曲線Ｌｂのように狭くなる傾向があり、特に波長λの長い方が励起されにくくなる。
【００１５】
その結果、図８曲線Ｌｂのようにその波長帯域特性が、酸化ヘモグロビンの吸収波長λａ以下となってしまう場合がある。そうすると、被計測部位に対して２波長を同時に照射できなくなるので、低温域では動脈血酸素飽和度を計測できなくなってしまう。したがって折角携行できるように計測器を構成しても実際には無用の長物となるおそれがある。
【００１６】
そこで、この発明はこのような従来の課題を解決したものであって、特に発光素子に対する保温手段を設けることで、低温域でも動脈血酸素飽和度を計測できる携行型で簡便な動脈血酸素飽和度用簡易計測器を提案するものである。
【課題を解決するための手段】
【００１７】
上述の課題を解決するため、請求項１に記載したこの発明に係る動脈血酸素飽和度用簡易計測器は、被計測部位に波長の異なる光を照射する発光素子と、
上記被計測部位を流れる動脈血の酸素飽和度に関連した波長の異なる光を受波してこれを生体信号に変換する一対の受光素子と、
上記発光素子を保温する保温手段と、
上記発光素子の周囲温度を測定する温度測定素子と、
上記温度測定素子の検知信号に基づいて上記周囲温度を所定の温度範囲内に抑える制御部とを有することを特徴とする。
【００１８】
この発明では、計測器本体の側面部に被測定部位の挿入凹部が設けられている。被測定部位は人差し指である。挿入凹部の内部（内壁面）には動脈血の検知手段が設けられる。検知手段は、波長の異なる光を被測定部位に照射する発光素子と、照射した光の、被測定部位からの反射波の強度を電気信号に変換する受光素子とで構成される。
【００１９】
検知手段が、波長の異なる一対の透過波を受波する構成の場合には、挿入凹部の頂面側に発光素子が、これと対峙する底面側に受光素子が配される。受光素子は２波長λａ、λｂ（λａ＞λｂ）を同時に検知できるように一対の受光素子が使用される。一方の波長λａは動脈血中の酸化ヘモグロビンによって吸収され易い波長であり、他方の波長λｂはこの酸化ヘモグロビンには吸収されない（吸収されにくい）波長である。
【００２０】
ヘモグロビンに結合する酸素の結合量が多いほど波長λａの透過度が増すので、波長λａの透過量（透過強度）を、他方の波長λｂの透過量（透過強度）を基準にして計測することで、動脈血酸素飽和度を計測できる。動脈血酸素飽和度が基準値（９６％以上）であるときは、「正常」の表示を行い、この基準値より大幅に不足しているとき（例えば９３％以下）は「警告（危険）」なる表示を行い、その中間値つまり基準値よりも少し足りないときは（例えば、９３〜９６％程度）、「注意」のような表示を行う。
【００２１】
簡易計測器は、例えば低温環境下での登山中に使用する。動脈血酸素飽和度が低下しているときは、多少休息してから登山を再開するようにする。このように、動脈血酸素飽和度を３段階に分けて表示することで、被検者の体調状態を簡易に計測して表示することができる。
【００２２】
上述した検知手段のうち、発光素子の周囲には保温素子が設けられ、発光素子の周囲温度がほぼ所定の範囲内に入るように調整される。これは、発光素子の波長帯域特性がその周囲温度によって変化するからである。外気温が低くなると、それに伴って周囲温度も低くなって波長の帯域特性が狭くなり、波長λａ付近の光を出射しなくなってしまう。そのときは、動脈血酸素飽和度を計測できない。
【００２３】
そこで、計測する前の段階からプリヒートしておき、発光素子の周囲温度が所定の温度範囲となるように制御する。これによって波長帯域特性が安定化して、低温域でも動脈血酸素飽和度を正確に計測できる。
【発明の効果】
【００２４】
この発明では、発光素子から出射される波長の異なる一対の光の強度から動脈血の酸素飽和度を計測する場合、被測定部位を照射するために使用されるこの発光素子の周囲温度がほぼ所定の範囲内に入るように温度制御手段を設けたものである。これによって温度が低いときに発光素子における波長の帯域特性が狭くなって、特に一方の波長付近の光を出射しなくなる問題を解決できる。
【００２５】
このように、計測する前の段階からプリヒートしておき、発光素子の周囲温度が所定の温度範囲となるように制御することで、低温域でも動脈血酸素飽和度を正確に計測できる。
【００２６】
動脈血酸素飽和度は段階表示によって正常か否かを簡易に表示したので、現在の動脈血酸素飽和度の状態を比較的簡単に把握できるから、これにより被検者の体調状態を簡単に推察できる特徴を有する。
【発明を実施するための最良の形態】
【００２７】
続いて、この発明に係る動脈血酸素飽和度用簡易計測器の好ましい実施例を図面を参照して詳細に説明する。
【実施例１】
【００２８】
図１は携行性を考慮したこの発明に係る動脈血酸素飽和度用簡易計測器１０の一例を示す正面図である。この動脈血酸素飽和度簡易計測器１０は扁平な箱型をなす筐体（ケース）１２を有し、その一側面この例では右側面部１２ａ側の上部に被計測部位であるこの例では右指を差し込む挿入凹部１４が設けられている。挿入凹部１４の内面には、後述する動脈血の検知手段３６が設けられている。
【００２９】
ケース正面は各種情報を表示するための表示パネル１２ｂとして使用される。この例では、検知した動脈血の血流状態から脈拍数が計測され、その計測値が表示部１６に２〜３桁の数値として表示される。脈拍数の表示部１６の下側には、動脈血を計測しても差し支えない状態（計測レディー状態）を表示するための表示灯１８が取り付けられている。表示灯１８はＬＥＤなどを使用できる。
【００３０】
表示灯１８の下部には、動脈血酸素飽和度の計測結果を表示する表示部２０が設けられる。計測結果は数段階に分けて表示される。この例では３段階に分けて表示される。例えば、計測結果正常な数値を示しているときは、「正常」表示を、異常に低い数値であるときは、「異常」（又は「危険」）表示を、そして「正常」と「異常」の間の数値であるときは例えば「注意」表示を行うように、表示部２０が構成されている。
【００３１】
そのため、この表示部２０は３つの表示用ＬＥＤ２０ａ〜２０ｃで構成され、正常値を示す表示用ＬＥＤ２０ａは例えば緑色を発光するＬＥＤが使用される。以下同様な理由から、異常値を示す表示用ＬＥＤ２０ｃは警告を意味する赤色を発光するＬＥＤが、そしてその中間値を示す表示用ＬＥＤ２０ｂは黄色を発光するＬＥＤがそれぞれ使用される。またこの例では、正常値を示す表示用ＬＥＤ２０ａを挟んで、その右側に異常値を示す表示用ＬＥＤ２０ｃが、その左側に中間値を示す表示用ＬＥＤ２０ｂがそれぞれ並置された構成となされている。
【００３２】
以下の説明では、動脈血酸素飽和度の正常値を、ヘモグロビンに対する酸素結合量が９６％以上としたとき、異常値は９３％以下であり、その中間値は９３〜９６％であるとする。
【００３３】
表示パネル１２ｂにはさらにその右側下面部に、この例では電源スイッチ（Ｍ・ＳＷ）２２と、そのオンオフ状態を指示する表示灯２４および後述する発光素子に対する保温スイッチ（ＰＨ・ＳＷ）２６と、その表示灯２８がそれぞれ設けられている。電源スイッチ２２と保温スイッチ２６とは互いに独立しており、保温スイッチ２６をオンにすると電源スイッチ２２がオフ状態であっても、後述する動脈血検知手段を構成する発光素子３６ａを所定の温度範囲内に保温することができる。したがって、寒冷地などに携行するときには、電子スイッチ２２をオンする前に保温スイッチ２６をオンしておけば、何時でも計測できる状態となっている。電子スイッチ２２は計測時にオンすればよい。
【００３４】
図２は、被計測部位と動脈血酸素飽和度の検知手段３６との関係を示す概略断面図である。ケース１２の右側面部１２ａ側には所定長で所定径をなす挿入凹部１４が設けられている。この例では被計測部位として右側の人差し指２９が使用されるので、この人差し指２９を差し込む長さに挿入凹部１４の長さが選定される。挿入凹部１４の内面３２の所定位置に動脈血酸素飽和度の検知手段３６が取り付けられる。
【００３５】
動脈血酸素飽和度は、被測定部位である人差し指２９に、波長の異なる光を同時に照射し、その透過波又は反射波の強さを基準にして計測する。そのため、検知手段３６は、波長の異なる光を照射するための発光素子３６ａと、その透過波又は反射波を受波する一対の受光素子３６ｃ、３８ｃ（図３参照）とで構成される。発光素子３６ａとしてＬＥＤを使用することができ、受光素子３６ｃ、３８ｃとしてはホトダイオードを使用することができる。
【００３６】
図２に示す実施例は、透過波によって動脈血酸素飽和度を計測する例であるので、挿入凹部１４の内壁面のうちその頂面１４ａの所定位置、この例では人差し指２９の爪と対峙する付近に、発光素子３６ａが取り付け固定される。そのため、頂面１４ａ側には発光素子３６ａの取り付け凹部３４Ａが穿設され、ここに発光素子３６ａがその照射面を下面にして取り付け固定される。
【００３７】
頂面１４ａ側にはさらに発光素子３６ａを挿入凹部１４内に臨ませるための透孔３２が設けられている。発光素子３６ａの取り付けや交換を容易にするため、取り付け凹部３４Ａを塞ぐような閉塞蓋３５が設けられる。
【００３８】
発光素子３６ａから出射した光は人差し指２９の内面（生体組織）を透過して、挿入凹部１４の底面１４ｂ側に到達する。この対向底面１４ｂにも取り付け凹部３４Ｂが設けられ、ここに一対の受光素子３６ｃ、３８ｃが取り付け固定される。
この例では、人差し指２９の皮膚面が直接受光素子３６ｃ、３８ｃの受光面と接触するように、これら受光素子３６ｃ、３８ｃが取り付け固定されている。
【００３９】
もちろん、発光素子３６ａの光出射面や受光素子３６ｃ、３８ｃの受光面を保護するため、透孔３２や取り付け凹部３４Ｂの上面を、ガラス板やプラスチック板などの透明板で閉塞してもよい。
【００４０】
また、一方の受光素子３６ｃの前面には、透過光のうち特に８００〜８３０ｎｍ程度の光のみを透過させるための透過フィルタ３６ｂが設けられている。したがって一方の受光素子３６ｃによって酸化ヘモグロビンに対する透過度に相当する強度を持つ第１の反射信号Ｓａが得られる。
【００４１】
これに対して、他方の受光素子３８ｃにもその前面に透過フィルタ３６ｂが設けられる。この透過フィルタ３６ｂは、反射光のうち特に６００〜６７０ｎｍ程度の光のみを受光するための透過フィルタである。したがってこの受光素子３８ｃによって酸化ヘモグロビンには影響されない透過強度を持つ第２の反射信号Ｓｒが得られる。この第２の反射信号Ｓｒが透過強度に対する基準信号として利用される。
【００４２】
図３は図１の横断面図である。この例ではプラスチック材などで成形された表ケース１３ａと裏ケース１３ｂとでケース１２が構成されている。一対の受光素子３６ｃ、３８ｃは並置して取り付けられる。
【００４３】
検知手段３６のうち特に発光素子３６ａに対してはその保温措置が講じられる。発光素子３６ａは周囲温度（雰囲気温度）が低くなると、その波長帯域特性が狭くなる性質があり、帯域特性が狭くなることで動脈血酸素飽和度を計測できなくなるおそれがあるためである。そのための保温手段４０の一例を図４に示す。
【００４４】
保温手段４０はほぼ直方体状をなす扁平な断熱ケース４２を有し、この断熱ケース４２内のほぼ中央部に発光素子３６ａが取り付け固定される。このとき発光素子３６ａの先端部（出射面）４８が断熱ケース４２よりも僅かに突出するように取り付けられる。出射した光がある程度の広がりを持つように、発光素子３６ａの出射面４８は球面状をなしている。
【００４５】
断熱ケース４２の内部は、樹脂、金属材、シリコンエラストマーなどの保温材４４が充填されると共に、この断熱ケース４２のほぼ中間部を左右に貫くように保温素子板５２が取り付けられている。
【００４６】
保温素子５０はプリヒータ（ＰＨ）として機能する。そのため、図５のように保温素子板５２のほぼ中央部には発光素子３６ａが貫通する貫通孔５４が設けられると共に、その上面にはこの貫通孔５４を取り巻きながらほぼ半周するように、フィルム状をなす面ヒータ（導電層）５６が貼着されている。図５に示す面ヒータ５６の形成パターンは一例である。
【００４７】
面ヒータ５６の端子５６ａ、５６ｂ間を通電することで面ヒータ５６が発熱するので、発光素子３６ａ全体が加温される。これによって発光素子３６ａが適温となるように調整される。この例では、２０〜３０℃となるように温度制御される。この温度制御を行うため、温度測定素子４６が発光素子３６ａに近接した位置であって、面ヒータ５６による直接的な影響を受けない位置、例えば図５のように面ヒータ５６からは離れているが、発光素子３６ａには近い位置に温度測定素子４６が設けられている。温度測定素子４６としては、熱電対、温度抵抗素子、サーミスターなどを使用できる。図４の例はサーミスターを使用した場合で、この温度測定素子４６が保温素子板５２に取り付け固定される。
【００４８】
このような保温機能を備えることで、寒冷地や高地のように、気温が非常に低い場所でも、プリヒートしておくことで、発光素子３６ａの周囲温度を適温状態に保つことができる。したがって、外気温に影響されることなく動脈血酸素飽和度を計測できる。
【００４９】
図６はこの発明に係る動脈血酸素飽和度用簡易計測器１０に搭載された制御系を備えた計測表示回路６０の一例を示す要部の系統図である。
【００５０】
発光素子３６ａを駆動することで、これより被測定部位としての人差し指２９に光が照射される。その光の帯域特性は図８曲線Ｌａである。人差し指２９に照射された光の透過光は、一対の透過フィルタ３６ｂ、３８ｂによりその帯域が制限された上で、一対の受光素子３６ｃ、３８ｃによって受光される。他方の受光素子３８ｃへの反射光の強さが第２の反射信号Ｓｒとして制御部７０に供給され、一方の受光素子３６ｃへの反射光の強さが第１の反射信号Ｓａとして制御部７０に供給される。
【００５１】
制御部７０では、入力した第１および第２の反射信号Ｓａ、Ｓｒを利用して脈拍が計測され、その計測値が脈拍表示部１６に表示される。
【００５２】
上述した第２の反射信号Ｓｒは酸化ヘモグロビンによる影響を受けないが、第１の反射信号Ｓａは酸化ヘモグロビンによる影響を受けるので、第２の反射信号Ｓｒに対する第１の反射信号Ｓａの透過強度に基づいて、動脈血酸素飽和度SpO2が算出される。
【００５３】
動脈血酸素飽和度は３段階に分けて表示される。正常値であるときは表示用ＬＥＤ２０ａが点灯する。異常値であるときは表示用ＬＥＤ２０ｃが点灯する。そして、それらの中間値であるときは表示用ＬＥＤ２０ｂが点灯する。したがって、被検者はこの表示部２０ａ〜２０ｃの表示色によって、「正常」、「異常」、「注意」状態を把握できる。
【００５４】
例えば、高山への登山中に計測した結果が、「注意」であるときは、今後酸素不足に陥ることが考えられるので、充分な休息をとったり、歩行速度を遅くしたりするなどすることで、自己の体調を維持できる。
【００５５】
「異常」表示の場合には、登山を中止するか、荷物を軽くするなど経験者による充分なアドバイスを受けながら慎重に登山する必要がある。高山病を発症しやすい状況下にあると言えるからである。このように、動脈血酸素飽和度を計測することで、不調を訴える前の段階で、体調を崩しやすい予兆を簡易に知ることができる。寒冷地での計測の場合も同じである。
【００５６】
この例ではさらに、動脈血酸素飽和度の３段階表示の他に、音声メッセージ出力部７２が設けられている。この３段階表示に合わせて音声メッセージが出力される。
【００５７】
例えば計測結果が「正常」であるならば、「正常です。」なる音声メッセージが出力される。計測結果が「異常」であるときは、「酸素が不足し危険です。周囲のアドバイスを受けて下さい」のような音声メッセージが出力される。
【００５８】
そして、計測結果がそれらの中間値であるときは、例えば「酸素が不足気味ですから、注意して下さい」のような音声メッセージが出力され、被検者や同伴者に対して注意を喚起することができる。
【００５９】
ところで、計測表示回路６０は基本的には電池駆動であり、電源６２としては電池（一次若しくは二次電池）が使用される。電源スイッチ２２によって電源６２からの電圧が、ＣＰＵで構成された制御部７０や発光素子３６ａ、受光素子３６ｃ、３８ｃなどにその駆動電圧として供給される。
【００６０】
電源電圧はさらに保温スイッチ２６を介して面ヒータ５６に供給される。保温スイッチ２６をオンしてから適温（計測レディー状態）に至るまでは後述するように計測可能表示用ＬＥＤ１８が点滅し、適温になると点灯するので、計測可能状態かどうかを視覚的に確認できる。
【００６１】
発光素子３６ａの周囲温度は温度測定素子４６によって検知され、その検知信号は制御部７０に供給される。発光素子３６ａの周囲温度が適温となるまで、制御部７０からの温度制御信号によってスイッチング手段６４がオン状態に制御されて、面ヒータ５６への通電（プリヒートのための通電）が継続される。
【００６２】
適温状態となってからは、スイッチング手段６４を制御することで、面ヒータ５６への通電が断続的に制御されて保温状態となるように制御される。保温状態となったときの温度としては、上述したように２０〜３０℃のうち、例えば２５℃前後の温度に設定される。この温度範囲は、厳密な値ではなく、上述した２０℃以下であっても、使用に耐えない温度という訳ではないが、素子メーカの推奨温度を適温として設定するのが好ましい。したがって２０〜３０℃は理想的な温度制御範囲と言える。
【００６３】
発光素子３６ａの周囲温度が適温となるまでは、上述したように計測可能表示用ＬＥＤ１８は点滅状態に制御される。適温となり、保温状態になるとこの計測可能用ＬＥＤ１８は常時点灯状態となるように制御される。なお、保温スイッチ２６がオフのときはこのＬＥＤ１８および保温スイッチ２６の表示灯２８も点灯しない。
【００６４】
図７は上述した制御部７０における制御のうち、特に計測結果の表示処理例を示すフローチャートである。
【００６５】
まず発光素子３６ａの周囲温度が適切な温度範囲となっているかが判断され、適温範囲まで昇温されていないときは計測可能状態を表示するＬＥＤ１８を点滅表示させ、計測待機状態であることを表示する（ステップ８１，８２）。適温範囲となるとこのＬＥＤ１８を点滅状態から点灯状態に切り替える（ステップ８３）。
【００６６】
発光素子３６ａの周囲温度が適温になると、所定タイミングごとに第１および第２の反射信号Ｓａ、Ｓｒを取り入れて、脈拍を計測し、その値が表示部１６に表示される（ステップ８４）。続いて、同じタイミングで取り入れた第１および第２の反射信号Ｓａ、Ｓｒから動脈血酸素飽和度の計測処理が行われる（ステップ８５）。
【００６７】
動脈血酸素飽和度の計測の結果、その値が正常値か否かの判断が行われる（ステップ８６）。まず、動脈血酸素飽和度が正常値の範囲内にあると判断されたときは、表示用ＬＥＤ２０ａを点灯して緑色を表示することで、被検者に対して計測結果が正常であることを知らせる（ステップ８７）。これと同時に、音声メッセージを出力して動脈血酸素飽和度が正常値の範囲内であることを出力する（ステップ８８）。この視覚および聴覚告知によって、計測結果を間違いなく被検者に知らせる。
【００６８】
動脈血酸素飽和度が異常値の範囲内にあると判断されたときは、表示用ＬＥＤ２０ｃを点灯して赤色を表示することで、被検者に対して計測結果が異常値を示したことを知らせる（ステップ９１）。これと同時に、音声メッセージを出力して動脈血酸素飽和度が異常値であることを出力して（ステップ９２）、これからの行動を控えるか、慎重に行動することを促す。これによって、高山病などの発症を未然に防止できる。
【００６９】
そして、動脈血酸素飽和度が正常値と異常値の間であると判断されたときは、表示用ＬＥＤ２０ｂを点灯（黄色）させると共に、音声メッセージによって少々少なめの酸素量であることを知らせる（ステップ８９，９０）。
【００７０】
以上の表示処理および音声メッセージ出力処理は電源６２がオフするまで、換言すれば反射信号Ｓａ、Ｓｒが得られている間だけ継続され、電源６２をオフすることでこの一連の処理が終了する（ステップ９３）。
【実施例２】
【００７１】
上述した実施例１では、検知手段３６としては透過型の検知手段を例示した。この他に、検知手段３６は反射型としても構成できる。その場合には、図２に示す底面１４ｂ側に発光素子３６ａと、一対の受光素子３６ｃ、３８ｃが設けられ、被測定部位である人差し指２９に波長の異なる光を照射し、動脈からの反射光を受光して、動脈血酸素飽和度が計測されることになる。その他は、実施例１の構成と同様であるので、その説明は割愛する。
【産業上の利用可能性】
【００７２】
この発明は、動脈血酸素飽和度を簡易に測定して、その状態を数段階に分けて表示する簡易計測器に適用できる。
【図面の簡単な説明】
【００７３】
【図１】この発明に係る動脈血酸素飽和度用簡易計測器の一例を示す正面図である。
【図２】その一部縦断面図である。
【図３】その横断面図である。
【図４】保温手段の一例を示す断面図である。
【図５】保温素子の一例を示す平面図である。
【図６】この発明に適用できる計測表示回路の要部系統図である。
【図７】計測表示回路の制御例を示すフローチャートである。
【図８】発光素子の波長帯域特性を示す曲線図である。
【符号の説明】
【００７４】
１０・・・動脈血酸素飽和度用簡易計測器
１２・・・ケース
１４・・・挿入凹部
１６・・・脈拍表示部
１８・・・計測可能表示部
２０・・・表示部
２２・・・電源スイッチ
２６・・・保温スイッチ
３６・・・検知手段
３６ａ・・・発光素子
３６ｃ、３８ｃ・・・受光素子
４０・・・保温手段
５０・・・保温素子
５６・・・面ヒータ
４６・・・温度測定素子
７０・・・制御部
７２・・・音声メッセージ表示部
【図１】
2006288835.tif 000003
【図２】
2006288835.tif 000004
【図３】
2006288835.tif 000005
【図４】
2006288835.tif 000006
【図５】
2006288835.tif 000007
【図６】
2006288835.tif 000008
【図７】
2006288835.tif 000009
【図８】
2006288835.tif 000010